(57)【要約】光学式エンコーダは、隣接して順に配置された第１、第２および第３の受光素子（Ａ，Ｂ，Ｃ）と、上記第１の受光素子Ａの出力レベルよりも、その第１の受光素子（Ａ）よりも入光が遅延する上記第２の受光素子（Ｂ）の出力レベルが上回ったときに、検知トリガ（Ｔｓ）を出力する一方、上記第２の受光素子（Ｂ）の出力レベルよりも、上記第２の受光素子（Ｂ）よりも入光が遅延する上記第３の受光素子（Ｃ）の出力レベルが上回ったときに、非検知トリガ（Ｔｅ）を出力する検知信号生成部（５０）とを含む。
2015162987.tif 000002
【特許請求の範囲】
【請求項１】
隣接して順に配置された第１、第２および第３の受光素子と、
入光が先行する上記第１の受光素子の出力レベルよりも、その第１の受光素子よりも入光が遅延する上記第２の受光素子の出力レベルが上回ったときに、検知トリガを出力する一方、上記第２の受光素子の出力レベルよりも、上記第２の受光素子よりも入光が遅延する上記第３の受光素子の出力レベルが上回ったときに、非検知トリガを出力する検知信号生成部と
を備えることを特徴とする光学式エンコーダ。
【請求項２】
請求項１に記載の光学式エンコーダにおいて、
上記第２の受光素子の光軸と略重なる光軸を有する発光素子と、
上記第１および第３の受光素子の受光開口部を絞る窓部と
を備えることを特徴とする光学式エンコーダ。
【請求項３】
請求項１または２に記載の光学式エンコーダにおいて、
上記第１、第２および第３の受光素子の受光部の面積が略同一であることを特徴とする光学式エンコーダ。
【請求項４】
請求項１から３のいずれか１つに記載の光学式エンコーダにおいて、
上記第１、第２および第３の受光素子の組を、２組並置していることを特徴とする光学式エンコーダ。
【請求項５】
請求項１から４のいずれか１つに記載の光学式エンコーダにおいて、
上記第１、第２および第３の受光素子の夫々にスイッチを介して並列に接続可能な容量と、
上記スイッチを制御するスイッチ制御回路と
を備えることを特徴とする光学式エンコーダ。
【発明の詳細な説明】
【技術分野】
【０００１】
この発明は、受光素子を用いて移動体の位置、移動速度、移動方向等を検出する光学式エンコーダに関し、特に、複写機、プリンターなどの印刷機器、ＦＡ（ファクトリオートメーション）機器、カメラ等におけるレンズフォーカス調整装置、クランクシャフトの回転角、速度等を検出する車用速度検出装置等に用いると好適な光学式エンコーダに関する。
に関する。
【背景技術】
【０００２】
従来、光学式エンコーダとしては、特許文献１（特開昭５９−４０２５８号公報）に記載のように、移動体の投光部と遮光部に配置されたフォトダイオード間の差動出力を用いて、移動体の位置、移動速度等を検出するようにしたものがある。【０００３】
また、特許文献２（特開２０１３−１９５１８０号公報）には、検知物の凹凸部の凹部を凸部の１／２より大きくした光学式エンコーダが記載されている。【０００４】
また、特許文献３（特開２０１４−２０７８号公報）には、フォトダイオード分解能切り替え機能を有し、切り替えに応じて基準電圧を変更する光学式エンコーダが記載されている。【０００５】
特許文献４（特開２００７−１７３９０号公報）には、隣接するフォトダイオードの出力それぞれをデジタル出力し、デジタル信号の検出順序にて移動体の回転、移動方向を出力する光学式エンコーダが記載されている。
【先行技術文献】
【特許文献】
【０００６】
【特許文献１】特開昭５９−４０２５８号公報
【特許文献２】特開２０１３−１９５１８０号公報
【特許文献３】特開２０１４−２０７８号公報
【特許文献４】特開２００７−１７３９０号公報
【発明の概要】
【発明が解決しようとする課題】
【０００７】
しかしながら、上記従来の光学式エンコーダでは、次のような問題がある。【０００８】
特許文献１のように、移動体の移動速度、移動方向を検出する光学式エンコーダでは、移動体のスリット幅に比例したフォトダイオードを配置するため、移動体のスリット幅の異なるものでは移動速度、移動方向の検出ができない。つまり、検出精度は、移動体スリット幅の精度に依存するという問題がある。【０００９】
また、ＬＥＤ（発光ダイオード）に平行光が得られない場合は、光非検知部にも光が回り込み、発光―受光間距離に応じてデューティ比が悪化する。つまり、特許文献１の光学式エンコーダの検出精度が光学系に依存するという問題がある。【００１０】
特許文献２の光学式エンコーダでは、凹凸を有する検知物においても凹凸に応じてフォトダイオードを配置する必要があり、上記と同様な問題が生じる。【００１１】
特許文献３の光学式エンコーダでは、分解能切り替え機能を有するものの、切り替えが限定されており、上記と同様な問題が生じる。【００１２】
移動体のスリット幅に依存しない方法として、特許文献４に示すように赤外線輻射による検出方法がある。この方法ではスリット幅に依存しないものの、設定するスレッショルドレベルに応じて分解能が変動するため、光学条件のばらつきにより大きな特性バラつきが生じる。他の先例が２つのフォトダイオード間の差動演算を行うのに対して、単一フォトダイオードにて処理するため、移動方向の検出に誤動作が生じる可能性もある。【００１３】
そこで、この発明の課題は、移動体のスリットや反射領域の分解能に依存しなく、かつ、光学系のばらつきに依存しないで、ＳＮ比（信号雑音比）を高く保持できて、精度高く、移動体の位置、移動速度等を検出できる光学式エンコーダを提供することにある。
【課題を解決するための手段】
【００１４】
上記課題を解決するため、この発明の光学式エンコーダは、
隣接して順に配置された第１、第２および第３の受光素子と、
入光が先行する上記第１の受光素子の出力レベルよりも、その第１の受光素子よりも入光が遅延する上記第２の受光素子の出力レベルが上回ったときに、検知トリガを出力する一方、上記第２の受光素子の出力レベルよりも、上記第２の受光素子よりも入光が遅延する上記第３の受光素子の出力レベルが上回ったときに、非検知トリガを出力する検知信号生成部と
を備えることを特徴としている。【００１５】
１実施形態の光学式エンコーダは、
上記第２の受光素子の光軸と略重なる光軸を有する発光素子と、
上記第１および第３の受光素子の受光開口部を絞る窓部と
を備える。【００１６】
１実施形態の光学式エンコーダでは、
上記第１、第２および第３の受光素子の受光部の面積が略同一である。【００１７】
１実施形態の光学式エンコーダでは、
上記第１、第２および第３の受光素子の組を、２組並置している。【００１８】
１実施形態の光学式エンコーダは、
上記第１、第２および第３の受光素子の夫々にスイッチを介して並列に接続可能な容量と、
上記スイッチを制御するスイッチ制御回路と
を備える。【００１９】
この実施形態の電子機器は、
上述の光学式エンコーダを備える。
【発明の効果】
【００２０】
この発明の光学式エンコーダによれば、移動体のスリットや反射領域の分解能に依存しなく、かつ、光学系のばらつきに依存しないで、ＳＮ比（信号雑音比）を高く保持できて、精度高く、移動体の位置、移動速度等を検出できる。
【図面の簡単な説明】
【００２１】
【図１】図１−１,１−２は、この発明の第１実施形態の光学式エンコーダにおけるフォトダイオードの配置と受光量変動との関係を示す図であり、図１−１は、移動体と窓部との間の距離が大きい場合を示し、図１−２は、移動体と窓部との間の距離が図１−１の場合よりも小さい場合を示している。
【図２】図２−１および図２−２は、第１〜第３のフォトダイオードと移動体との間の距離が４ｍｍのときの第１〜第３のフォトダイオードの受光量の光学シミュレーション結果を示す図である。
【図３】図３−１および図３−２は、第１〜第３のフォトダイオードと移動体との間の距離が８ｍｍのときの第１〜第３のフォトダイオードの受光量の光学シミュレーション結果を示す図である。
【図４】この発明の第１実施形態の光学式エンコーダの回路ブロック図である。
【図５】図５−１，５−２，…,５−５は、この発明の第１実施形態の光学式エンコーダの各部の波形を示し、図５−１は、第１〜第３のフォトダイオードからの入力（入力光電流）を示し、図５−２は、セット信号を示し、図５−３は、リセット信号を示し、図５−４は、ＲＳフリップフロップの出力波形を示し、図５−５は、論理回路からの出力電圧を示す。
【図６】この発明の第１実施形態の光学式エンコーダの論理回路の詳細ブロック図である。
【図７】図７−１および図７−２は、入射光量が変動しても、出力の交差点が変動しないことを説明する図である。
【図８】この発明の第２実施形態の光学式エンコーダの要部のブロック図である。
【図９】この発明の第３実施形態の光学式エンコーダの要部のブロック図である。
【図１０】この発明の第４実施形態の光学式エンコーダの動作を説明するための波形図である。
【図１１】この発明の第４実施形態の光学式エンコーダの動作を説明するための波形図である。
【図１２】この発明の第５実施形態の光学式エンコーダの要部のブロック図である。
【図１３】この発明の第６実施形態の光学式エンコーダの要部のブロック図である。
【発明を実施するための形態】
【００２２】
以下、この発明を図示の実施形態により、詳細に説明する。
【００２３】
（第１実施形態）
図１−１に示すように、第１、第２および第３の受光素子の一例としての第１、第２および第３のフォトダイオードＡ，Ｂ，Ｃを移動体１０に平行に、移動体１０の移動方向に、順に等間隔に配置している。上記第１、第２および第３のフォトダイオードＡ，Ｂ，Ｃは、同一のピッチＺで配列している。上記第１、第２および第３のフォトダイオードＡ，Ｂ，Ｃの受光部の面積は略同一である。
【００２４】
また、発光素子の一例としての発光ダイオード（ＬＥＤ）５を、第２のフォトダイオードＢに関して移動体１０と反対側に配置し、かつ、発光ダイオード５の光軸が第２のフォトダイオードＢの光軸と略重なるようにしている。尚、ＬＥＤ５からの直接光が第１、第２および第３のフォトダイオードＡ，Ｂ，Ｃに入光せず、移動体１０の反射光を検出できるよう遮光板がある（図示せず）ものとする。
【００２５】
また、上記移動体１０と、第１、第２および第３のフォトダイオードＡ，Ｂ，Ｃとの間に、窓部７を設けている。この窓部７は、第１および第３のフォトダイオードＡ，Ｃの受光開口部の一部に光軸方向に重なり、第１および第３のフォトダイオードＡ，Ｃの受光開口部を絞っている。
【００２６】
上記移動体１０は、反射領域１１と透過領域１２を等間隔に交互に有する。上記反射領域１１と透過領域１２とは、移動方向に同じ長さＸを有する。この第１実施形態の光学式エンコーダは、反射型のエンコーダであるが、透過型のエンコーダの場合は、図示しないが、発光ダイオードを、移動体に関して、第１実施形態と反対側に設ければよい。
【００２７】
図１−１において、Ｌ１は、移動体１０の下面と窓部７の上端面との間の距離であり、Ｙは、第１、第２および第３のフォトダイオードＡ，Ｂ，Ｃの上端面を通る平面と、窓部７の上端面を通る平面との距離であり、Ｑ１は、反射領域１１からの反射光が第１のフォトダイオードＡに入射し始めてから、移動体１０の移動につれて、その反射領域１１からの反射光が第２のフォトダイオードＢに入射するまでの反射領域１１の移動距離（つまり、移動体１０の移動距離）を表す。
【００２８】
図１−２では、移動体１０と窓部７との距離Ｌ２が、図１−１の移動体１０と窓部７との距離Ｌ１よりも小さくなっている。Ｑ２は、反射領域１１からの反射光が第１のフォトダイオードＡに入射し始めてから、移動体１０の移動につれて、その反射領域１１からの反射光が第２のフォトダイオードＢに入射するまでの反射領域１１の移動距離（つまり、移動体１０の移動距離）を表す。これ以外は、図１−２に示す構成要素は、図１−１に示す構成要素と同じなので、同一構成要素については、同一参照番号を付して、詳しい説明は省略する。
【００２９】
図１−１において、Ｐｉは、発光ダイオード５の出射光量に対応する所定の光量、Ｐ１は、第１のフォトダイオードＡが受ける光量、Ｐ２は、第２のフォトダイオードＢが受ける光量、Ｐ３は、第３のフォトダイオードＣが受ける光量を表す。また、（図１−２）において、Ｐ１’は、第１のフォトダイオードＡが受ける光量、Ｐ２’は、第２のフォトダイオードＢが受ける光量、Ｐ３’は、第３のフォトダイオードＣが受ける光量を表す。
【００３０】
また、図１−１および図１−２において、Ｔｓは、検知トリガを出力する時点、Ｔｅは、非検知トリガを出力する時点を表す。
【００３１】
図１−１、図１−２において、受光量Ｐ１，Ｐ１’は、
Ｐ１＝Ｐｉ／Ｌ１^４
Ｐ１’＝Ｐｉ／Ｌ２^４
となる。
【００３２】
ここで、受光量が、距離Ｌ１，Ｌ２の４乗に逆比例して減少するのは、光量が、窓部７を通った光が移動体１０の反射領域１１で反射されるまで、２乗に逆比例して減少し、さらに、反射領域１１で反射されてから、窓部７に至るまで、２乗に逆比例して減少するから、結局、距離Ｌ１，Ｌ２の４乗に逆比例して減少すると仮定できるからである。こうすると、実際の値に相当する妥当な光量が得られる。
【００３３】
また、上記移動距離Ｑ１，Ｑ２は、図１−１、図１−２において、三角形の相似の関係から、
Ｌ１：Ｙ＝Ｑ１：Ｚ  →  Ｑ１＝Ｌ１＊Ｚ／Ｙ
Ｌ２：Ｙ＝Ｑ２：Ｚ  →  Ｑ２＝Ｌ２＊Ｚ／Ｙ
となる。
【００３４】
上記構成の光学式エンコーダにおいて、今、図１−１において、移動体１０が図中の矢印に示す方向に移動しているとすると、移動体１０の右端の反射領域１１からの反射光は、細線に示すように、反射領域１１の先端から窓部７の右のコーナの上を通って、第１のフォトダイオードＡに入光する。その後、移動体１０が距離Ｑ１進むと。太線に示すように、第２のフォトダイオードＢへ入光が始まり、さらに、移動体１０が進むと、第１のフォトダイオードＡの受光量Ｐ１よりも、第２のフォトダイオードＢの受光量Ｐ２が上回り、つまり、大きくなる。この時点Ｔｓで、検知トリガを出力する。
【００３５】
上記のように、第１および第２のフォトダイオードＡ，Ｂの入光時から最大反射光入光時までの受光変動傾斜は、第１および第２のフォトダイオードＡ，Ｂの端部と窓部７の右コーナの傾きに依存して決定され、第１および第２のフォトダイオードＡ，Ｂ間の交差点が決まる。
【００３６】
その後、窓部７の開口の端の近傍に、移動体１０の反射領域１１が移動すると、第２のフォトダイオードＢの受光量Ｐ２よりも、第３のフォトダイオードＣの受光量Ｐ３が上回り、つまり、曲線Ｐ２とＰ３とが交差する時点Ｔｅで、非検知トリガＴｅを出力する。
【００３７】
上記のように、第２および第３のフォトダイオードＢ，Ｃの入光時から最大反射光入光時までの受光変動傾斜は、第２および第３のフォトダイオードＢ，Ｃの端部と窓部７の左コーナの傾きに依存して決定され、第２および第３のフォトダイオードＢ，Ｃ間の交差点が決まる。
【００３８】
このようにして、検知トリガＴｓと、非検知トリガＴｅとを得ると、移動体１０のスリット幅Ｘ、つまり、反射領域１１の幅Ｘの分解能に依存しないで、ＳＮ比を高く保持できるパルス信号を取得することができる。
【００３９】
尚、スリット幅Ｘに応じたパルス信号を得るためには、Ｘの幅をフォトダイオード間隔Ｚよりも広く配置する必要がある。
【００４０】
更に、図１−１，図１−２では移動体１０の中央部からの反射光量も入光され、受光変動に影響するため、Ｘは窓部幅より広いことが望ましい。
【００４１】
この方法では、図１−２に示すように、移動体１０と、第１、第２および第３のフォトダイオードＡ，Ｂ，Ｃとの距離Ｌ２が、図１−１に示す距離Ｌ１よりも小さくなった場合においても、図１−１と同様に、反射領域１１の幅Ｘに応じたパルス信号を取得することができる。これは、受光量は距離の４乗に反比例し、図１−２では、第１、第２および第３のフォトダイオードＡ，Ｂ，Ｃの受光量が増えるが、第１、第２および第３のフォトダイオードＡ，Ｂ，Ｃの入光時から最大反射光入光時までの受光変動傾斜は、第１、第２および第３のフォトダイオードＡ，Ｂ，Ｃの端部と窓部７のコーナの傾きに依存して決定されることから、受光信号の交差点Ｔｓ，Ｔｅ自体には変動がないためである。
【００４２】
図１−２において、Ｐ１’，Ｐ２’，Ｐ３’は、図１−１におけるＰ１，Ｐ２，Ｐ３に相当する。
【００４３】
図２−１および２−２および図３−１および３−２に光学シミュレーション結果を示す。図２は、移動体１０と第１、第２および第３のフォトダイオードＡ，Ｂ，Ｃとの距離が４ｍｍの場合を示し、図３−１および３−２は、移動体１０と第１、第２および第３のフォトダイオードＡ，Ｂ，Ｃとの距離が８ｍｍの場合を示している。なお、移動体１０のサイズは、１００ｍｍ幅である。
【００４４】
図２−１および２−２および図３−１および３−２において、破線は第１のフォトダイオードＡへの入射光量、実線は第２のフォトダイオードＢへの入射光量、一点鎖線は第３のフォトダイオードＣへの入射光量を表している。
【００４５】
この図２および３から、移動体１０と第１、第２および第３のフォトダイオードＡ，Ｂ，Ｃとの距離が４ｍｍから８ｍｍに変動しても、交差点Ｔｅ，Ｔｅ、つまり、検知トリガおよび非検知トリガを出力する点Ｔｅ，Ｔｅが変動しなくて、安定していることが分かる。
【００４６】
したがって、この発明の原理によれば、移動体のスリット幅を固定することなく、光学系のばらつきに依存しないで、ＳＮ比を高く保持できて、精度高く、移動体の位置、移動速度等を検出できる。
【００４７】
図４は、この第１実施形態の光学式エンコーダの回路構成を示す図である。この光学式エンコーダは、図１−１，１−２に示す構成の他に、図４に示すように、２つのコンパレータ２１，２２と、論理回路３０とを備える。この２つのコンパレータ２１，２２と論理回路３０とは、検知信号生成部５０を構成し、後記するように、図５−５に示す出力電圧を出力する。この図５−５の出力電圧の立ち上がりが、検知トリガＴｓに相当し、出力電圧の立ち下がりが非検知トリガＴｅに相当する。
【００４８】
上記コンパレータ２１は、＋端子に、第１のフォトダイオードＡの出力Ａを受け、−端子に、第２のフォトダイオードＢの出力Ｂを受けて、Ａ＞Ｂのときに、セット信号（ＳＥＴ）を出力する。また、上記コンパレータ２２は、＋端子に、第３のフォトダイオードＣの出力Ｃを受け、−端子に、第２のフォトダイオードＢの出力Ｂを受けて、Ｃ＞Ｂのときに、リセット信号（ＲＳＥＴ）を出力する。
【００４９】
なお、図１−１，１−２などでは、第１のフォトダイオードＡ、第２のフォトダイオードＢおよび第３のフォトダイオードＣの出力の夫々を、出力Ｐ１，Ｐ２，Ｐ３で表していたのに対して、ここでは、出力Ａ，Ｂ，Ｃと表している。これは、第１のフォトダイオードＡと出力Ａとの関連が分かり易く、その混同の虞がないからである。勿論、出力Ｐ１＝出力Ａ、出力Ｐ２＝出力Ｂ、出力Ｐ３＝出力Ｃを表している。以下、同様である。
【００５０】
上記第１、第２および第３のフォトダイオードＡ，Ｂ，Ｃの出力Ａ，Ｂ，Ｃは、図５−１の曲線Ａ，Ｂ，Ｃで表される。
【００５１】
上記コンパレータ２１から出力されるセット信号は、図５−２の曲線で表される一方、上記コンパレータ２２から出力されるリセット信号は、図５−３の曲線で表される。
【００５２】
一方、上記論理回路３０は、例えば、図６に示す構成を有し、ＲＳフリップフロップ３１と、インバータ３２と、アンプリファイア３３と、アンドゲート３５とからなる。
【００５３】
上記インバータ３２の出力は、図５-２のセット信号を反転したものである。そして、上記アンドゲート３５は、アンプリファイア３３から出力された図５-４に示すＲＳフリップフロップ３１の出力と、上記インバータ３２から出力された図５-２のセット信号を反転した信号との論理積をとって、図５−５に示された出力電圧を出力する。
【００５４】
このように、上記検知信号生成部５０は、図５−５の出力電圧を出力して、この出力電圧の立ち上がりである検知トリガＴｓと、この出力電圧の立ち下がりである非検知トリガＴｅを出力することができる。
【００５５】
すなわち、上記検知信号生成部５０は、入光が先行する第１のフォトダイオードＡの出力レベルＡよりも、その第１のフォトダイオードＡよりも入光が遅延する第２のフォトダイオードＢの出力レベルＢが上回ったときに、検知トリガＴｓを出力する一方、第２のフォトダイオードＢの出力レベルＢよりも、その第２のフォトダイオードＢよりも入光が遅延する第３のフォトダイオードＣの出力レベルＣが上回ったときに、非検知トリガＴｅを出力するのである。
【００５６】
したがって、この光学式エンコーダは、移動体１０のスリット幅等の分解能に依存せず、かつ、光学系のばらつきに依存しないで、ＳＮ比を高く保持できて、精度高く、移動体１０の位置、移動速度等を検出できる。
【００５７】
また、この第１実施形態では、図１−１，１−２に示すように、第２のフォトダイオードＢの光軸と略重なる光軸を有する発光ダイオード５を備えると共に、中央に位置する第２のフォトダイオードＢの受光開口部を絞らないで、両端に位置する第１および第３のフォトダイオードＡ，Ｃの受光開口部を絞る窓部７を備えているので、第２のフォトダイオードＢの受光電流Ｂが、第１および第３のフォトダイオードＡ，Ｃの受光電流Ａ，Ｃよりも上回る交差点Ｔｓ，Ｔｅを安定して確実に得ることができ、したがって、検知トリガＴｓ、非検知トリガＴｅを確実に得ることができて、移動体１０のスリット幅等の分解能に依存せず、かつ、光学系のばらつきに依存しないで、ＳＮ比を高く保持できて、精度高く、移動体１０の位置、移動速度等を検出できる。
【００５８】
また、この第１実施形態では、第１、第２および第３のフォトダイオードＡ，Ｂ，Ｃの受光部の面積が略同一であり、かつ、図４に示すように、コンパレータ２１，２２によって、差動演算を行っているため、同相ノイズを軽減できて、有益である。
【００５９】
また、この第１実施形態では、図５−１に示すように、第１のフォトダイオードＡの出力Ａと第２のフォトダイオードＢの出力Ｂとの交差点Ｔｓを検知トリガＴｓとする一方、第２のフォトダイオードＢの出力Ｂと第３のフォトダイオードＣの出力Ｃとの交差点Ｔｅを非検知トリガＴｅとしているので、外乱光によって、例えば、図７−１に示すＡ＜Ｂの状態から図７−２に示すＡ＞Ｂの状態に、入射光量に変動が生じても、交差点Ｔｓ，Ｔｅは影響を受けることがない。したがって、誤動作を抑制できて、正確に、移動体１０の位置、移動速度等を検出できる。
【００６０】
より詳しくは、もし仮に、図６に示すＲＳフリップフロップ３１の図５−４に示す出力をそのまま検知トリガに用いると、外乱光の影響を受けて、図５−１における第３のフォトダイオードＣの受光量減衰が遅れる状態や、反射物がない状態での第２および第３のフォトダイオードＢ，Ｃ間の受光量逆転の状態等が生じ、正確に、移動体１０の位置、速度などが検知できなくなるのである。
【００６１】
これに対して、この第１実施形態では、論理回路３０において、セット信号（ＳＥＴ）とリセット信号（ＲＳＥＴ）を受けるＲＳフリップフロップ３１の出力と、インバータ３２によるセット信号（ＳＥＴ）の反転信号との論理積を、アンドゲート３５で得て、交差点Ｔｓ，Ｔｅを検知しているので、図７−１、図７−２から分かるように、外乱光の影響を受けなくて、正確に、移動体１０の位置、移動速度等を検出できる。
【００６２】
これは図１−１，図１−２の第１、第２および第３のフォトダイオードＡ，Ｂ，Ｃの配置であれば、第２のフォトダイオードＢに反射領域（反射検知物体）１１が対向した時、出力Ｂが出力Ａ，Ｃを上回る電流が得られるためである。
【００６３】
（第２実施形態）
この第２実施形態の光学式エンコーダは、図８に示す論理回路１３０の構成のみが、第１実施形態と異なる。したがって、第２実施形態について、上記論理回路１３０以外の構成、作用については、図１−１，１−２，…,７−１，７−２の第１実施形態の説明を援用して、その説明は省略する。
【００６４】
この図８に示す第２実施形態の論理回路１３０は、図６に示す第１実施形態の論理回路３０とは、セット信号（ＳＥＴ）を受けるインバータ３２の後段に、直列に２つのインバータ３２１，３２２を接続して、このインバータ３２１，３２２によって、信号の伝達を遅延させている点のみが異なる。
【００６５】
こうすることによって、第２実施形態の論理回路１３０は、ＲＳフリップフロップ３１から、アンプリファイア３３を介してアンドゲート３５への入力と、インバータ３２，３２１，３２２を介してのセット信号のアンドゲート３５への入力との間に遅延差が大きくなるのを抑制している。
【００６６】
（第３実施形態）
図９は、第３実施形態の要部を示すブロック図である。
【００６７】
図１−１，１−２，…,７−１，７−２に示す第１実施形態の光学式エンコーダでは、移動体１０と発光ダイオード５との間に、第１のフォトダイオードＡ，第２のフォトダイオードＢおよび第３のフォトダイオードＣを配置しているのに対して、この図９に示す第３実施形態の光学式エンコーダでは、第１のフォトダイオードＡ，第２のフォトダイオードＢおよび第３のフォトダイオードＣと、移動体１０との間に、発光ダイオード５を配置している点のみが異なる。
【００６８】
したがって、この第３実施形態と第１実施形態とでは、発光ダイオード５から第１のフォトダイオードＡ，第２のフォトダイオードＢおよび第３のフォトダイオードＣに至る光の経路が異なるのみで、本質的には何ら相異はない。
【００６９】
また、他の構成、作用は、第１実施形態と全く同様であるので、説明は省略する。
【００７０】
（第４実施形態）
図１０および１１は、第４実施形態の光学式エンコーダの動作を説明するためのグラフである。
【００７１】
この第４実施形態の光学式エンコーダは、図示しないが、図１−１に示す第１のフォトダイオードＡ、第２のフォトダイオードＢおよび第３のフォトダイオードＣの組を、２組受光位置をフォトダイオード配置方向に並置し、各組について、図４に示す検知信号生成部５０を設けている。尤も、図示しないが、各組の出力を、１つの検知信号生成部で、時分割で信号処理してもよい。
【００７２】
今、図１−１に示す方向に、移動体１０が移動し、移動体１０の反射領域１１を検知すると（反射物検知をすると）、図１０に示すように、各組の出力、つまり、出力１および出力２は、Ｈ（ハイ）レベルになる。出力がＬ→Ｈとなるのは、出力１、出力２の順になる。なお、出力１と出力２の位相差は、９０°とする。
【００７３】
一方、図１−１に示す方向とは逆方向に、移動体１０が移動し、移動体１０の反射領域１１を検知すると（反射物検知をすると）、図１１に示すように、各組の出力、つまり、出力１および出力２は、Ｌ（ハイ）レベルになる。出力がＬ→Ｈとなるのは、出力２、出力１の順になる。
【００７４】
したがって、この第４実施形態によれば、出力１、出力２のＬ→Ｈとなる順序を検知することによって、移動体１０の移動方向を簡易に検知することができる。
【００７５】
（第５実施形態）
図１２は、第５実施形態の光学式エンコーダのブロック図である。
【００７６】
この第５実施形態の光学式エンコーダは、図９に示す第３実施形態の光学式エンコーダとは、第１のフォトダイオードＡ，第２のフォトダイオードＢおよび第３のフォトダイオードＣの夫々に、容量６１，６２，６３を、スイッチ７１，７２，７３を介して並列に接続し、このスイッチ７１，７２，７３を、論理回路３０からの信号を受けて制御するスイッチ制御回路８０を備える点のみが異なる。図１２において、図９に示す第３実施形態の構成要素と同一構成要素については、同一参照番号を付して、その説明を省略する。
【００７７】
上記スイッチ制御回路８０は、コンパレータ２１がセット信号（ＳＥＴ）を出力した後、つまり、第１のフォトダイオードＡの出力レベルＡが、第２のフォトダイオードＢの出力レベルＢを下回ったときに、論理回路３０からの信号を受けて、第２のフォトダイオードＢを容量６２から切り離すようにスイッチ７２を制御すると共に、第３のフォトダイオードＣを容量６３に接続するようにスイッチ７３を制御する。
【００７８】
また、上記スイッチ制御回路８０は、コンパレータ２２がリセット信号（ＲＳＥＴ）を出力した後、つまり、第３のフォトダイオードＣの出力レベルＣが、第２のフォトダイオードＢの出力レベルＢを下回ったときに、論理回路３０からの信号を受けて、第３のフォトダイオードＣを容量６３から切り離すようにスイッチ７３を制御する。
【００７９】
このように、上記スイッチ制御回路８０でスイッチ７１，７２，７３を制御して、第１のフォトダイオードＡ，第２のフォトダイオードＢおよび第３のフォトダイオードＣの夫々に、容量６１，６２，６３を、並列に接続して、出力Ａ〜Ｃに信号遅延を発生させて、確実に、第１〜第３のフォトダイオードＡ〜Ｃの出力Ａ〜Ｃの交差点を発生させることができる。
【００８０】
なお、第１〜第３のフォトダイオードＡ〜Ｃの出力Ａ〜Ｃの遅延のさせ方は、上述の容量の接続の仕方に限らず、適切なタイミングで容量を接続するものならば、どのようなものであってもよい。
【００８１】
（第６実施形態）
図１３は、第６実施形態の光学式エンコーダのブロック図である。
【００８２】
この図１３に示す第６実施形態の光学式エンコーダは、図９に示す第３実施形態の光学式エンコーダとは、第３実施形態のコンパレータ２１，２２に代えて、メインコンパレータ２１１，２２１およびサブコンパレータ２１２，２２２を用いている点のみが異なる。図１３において、図９に示す第３実施形態の構成要素と同一構成要素については、同一参照番号を付して、その説明を省略する。
【００８３】
上記サブコンパレータ２１２は、＋端子に、第１のフォトダイオードＡの出力Ａを受け、−端子に、第２のフォトダイオードＢの出力Ｂを受けて、Ａ＞Ｂのときに、Ｈ（ハイレベル）信号を出力して、メインコンパレータ２１１を起動する一方、Ａ＜Ｂのときに、Ｌ（ローレベル）信号を出力して、メインコンパレータ２１１の作動を停止する。このサブコンパレータ２１２のＨ信号とＬ信号との切り替わりは、あるヒステリシスを持って切り替わる。
【００８４】
また、上記メインコンパレータ２１１は、＋端子に、第２のフォトダイオードＢの出力Ｂを受け、−端子に、第１のフォトダイオードＡの出力Ａを受けて、Ａ＜Ｂのときに、Ｈ信号を出力し、上記サブコンパレータ２１２の出力がヒステリシスを持ってＬ信号になった時点で、Ｌ信号となるセット信号（ＳＥＴ）を出力する。
【００８５】
同様に、サブコンパレータ２２２は、＋端子に、第２のフォトダイオードＢの出力Ｂを受け、−端子に、第３のフォトダイオードＣの出力Ｃを受けて、Ｂ＞Ｃのときに、Ｈ信号を出力して、メインコンパレータ２２１を起動する一方、Ｂ＜Ｃのときに、Ｌ信号を出力して、メインコンパレータ２２１の作動を停止する。このサブコンパレータ２２２のＨ信号とＬ信号との切り替わりは、あるヒステリシスを持って切り替わる。
【００８６】
また、上記メインコンパレータ２２１は、＋端子に、第３のフォトダイオードＣの出力Ｃを受け、−端子に、第２のフォトダイオードＢの出力Ｂを受けて、Ｂ＜Ｃのときに、Ｈ信号を出力し、上記サブコンパレータ２２２の出力がヒステリシスを持ってＬ信号になった時点で、ローレベルとなるリセット信号（ＲＳＥＴ）を出力する。
【００８７】
このように、サブコンパレータ２１２，２２２からのＨ信号でメインコンパレータ２１１，２２１を起動し、メインコンパレータ２１１，２２１から出力が得られると、サブコンパレータ２１２，２２２のヒステリシス期間分だけの短期間、セット信号（ＳＥＴ）およびリセット信号（ＲＳＥＴ）を出力する。
【００８８】
したがって、図５に示す入力光の変化以外を検出しないようにして、誤動作を抑制することができる。
【００８９】
（第７実施形態）
第７実施形態の電子機器は、図示しないが、例えば、複写機、プリンターなどの印刷機器、ＦＡ（ファクトリオートメーション）機器、カメラ等におけるレンズフォーカス調整装置、クランクシャフトの回転角、速度等を検出する車用速度検出装置等であって、第１〜第６実施形態の光学式エンコーダを備えている。
【００９０】
この電子機器は、移動体のスリットや反射領域の分解能に依存しなく、かつ、光学系のばらつきに依存しないで、ＳＮ比（信号雑音比）を高く保持できて、精度高く、移動体の位置、移動速度等を検出できる上記光学式エンコーダを有するから、極めて性能がよい。
【００９１】
上記実施形態では、受光素子の例として、フォトダイオードを挙げたが、フォトトランジスタ等の光を検知できるものであるならば、どのような素子であってもよい。また、発光素子は、ＬＥＤに限らず、半導体レーザ等の光を出射できる素子ならば、どのような素子であってもよい。
【００９２】
また、上記検知信号生成部５０および論理回路３０の構成は、上述の実施形態に限らず、種々の構成が可能である。例えば、論理回路は、ナンドゲート、ノアーゲート等の論理素子を組み合わせて、構成できる。また、ＲＳフリップフロップに代えて、ＪＫフリップフロップを用いてもよい。
【００９３】
この発明および実施形態を纏めると、次のようになる。
【００９４】
上記課題を解決するため、この発明の光学式エンコーダは、
隣接して順に配置された第１、第２および第３の受光素子Ａ，Ｂ，Ｃと、
入光が先行する上記第１の受光素子Ａの出力レベルＡよりも、その第１の受光素子Ａよりも入光が遅延する上記第２の受光素子Ｂの出力レベルＢが上回ったときに、検知トリガＴｓを出力する一方、上記第２の受光素子Ｂの出力レベルＢよりも、上記第２の受光素子Ｂよりも入光が遅延する上記第３の受光素子Ｃの出力レベルＣが上回ったときに、非検知トリガＴｅを出力する検知信号生成部５０と
を備えることを特徴としている。
【００９５】
上記構成の光学式エンコーダによれば、上記検知信号生成部５０は、入光が先行する第１の受光素子Ａの出力レベルＡよりも、その第１の受光素子Ａよりも入光が遅延する第２の受光素子Ｂの出力レベルＢが上回ったときに、検知トリガＴｓを出力する一方、第２の受光素子Ｂの出力レベルＢよりも、第２の受光素子Ｂよりも入光が遅延する第３の受光素子Ｃの出力レベルＣが上回ったときに、非検知トリガＴｅを出力する。
【００９６】
したがって、この光学式エンコーダは、移動体１０のスリット幅等の分解能に依存せず、かつ、光学系のばらつきに依存しないで、ＳＮ比を高く保持できて、精度高く、移動体１０の位置、移動速度等を検出できる。
【００９７】
また、上記光学式エンコーダによれば、第１の受光素子Ａの出力Ａと第２の受光素子Ｂの出力Ｂとの交差点Ｔｓを検知トリガＴｓとする一方、第２の受光素子Ｂの出力Ｂと第３の受光素子Ｃの出力Ｃとの交差点Ｔｅを非検知トリガＴｅとしているので、外乱光によって、入射光量に変動が生じても、交差点Ｔｓ，Ｔｅは影響を受けることがない。したがって、誤動作を抑制できて、正確に、移動体１０の位置、移動速度等を検出できる。
【００９８】
１実施形態の光学式エンコーダは、
上記第２の受光素子Ｂの光軸と略重なる光軸を有する発光素子５と、
上記第１および第３の受光素子Ａ，Ｃの受光開口部を絞る窓部７と
を備える。
【００９９】
上記実施形態によれば、上記窓部７によって、中央に位置する第２の受光素子Ｂの受光開口部を絞らないで、両端に位置する第１および第３の受光素子Ａ，Ｃの受光開口部を絞るので、第２の受光素子Ｂの受光電流Ｂが、第１および第３の受光素子Ａ，Ｃの受光電流Ａ，Ｃよりも上回る交差点Ｔｓ，Ｔｅを安定して確実に得ることができ、したがって、検知トリガＴｓ、非検知トリガＴｅを確実に得ることができて、移動体１０のスリット幅等の分解能に依存せず、かつ、光学系のばらつきに依存しないで、ＳＮ比を高く保持できて、精度高く、移動体１０の位置、移動速度等を検出できる。
【０１００】
１実施形態の光学式エンコーダでは、
上記第１、第２および第３の受光素子Ａ，Ｂ，Ｃの受光部の面積が略同一である。
【０１０１】
上記実施形態によれば、第１、第２および第３の受光素子Ａ，Ｂ，Ｃの受光部の面積が略同一であるから、差動演算を行うことによって、同相ノイズを軽減できて、有益である。
【０１０２】
１実施形態の光学式エンコーダでは、
上記第１、第２および第３の受光素子Ａ，Ｂ，Ｃの組を、２組並置している。
【０１０３】
上記実施形態によれば、２組の出力のＬ→Ｈ（あるいは、Ｈ→Ｌ）となる順序を検知することによって、移動体１０の移動方向を簡易に検知することができる。
【０１０４】
１実施形態の光学式エンコーダは、
上記第１、第２および第３の受光素子Ａ，Ｂ，Ｃの夫々にスイッチ７１，７２，７３を介して並列に接続可能な容量６１，６２，６３と、
上記スイッチ７１，７２，７３を制御するスイッチ制御回路８０と
を備える。
【０１０５】
上記実施形態によれば、上記スイッチ制御回路８０でスイッチ７１，７２，７３を制御して、第１の受光素子Ａ，第２の受光素子Ｂおよび第３の受光素子Ｃの夫々に、容量６１，６２，６３を、並列に接続して、出力Ａ〜Ｃに信号遅延を発生させて、確実に、第１〜第３の受光素子Ａ〜Ｃの出力Ａ〜Ｃの交差点を発生させることができる。
【０１０６】
この実施形態の電子機器は、
上述の光学式エンコーダを備える。
【０１０７】
この電子機器は、移動体のスリットや反射領域の分解能に依存しなく、かつ、光学系のばらつきに依存しないで、ＳＮ比を高く保持できて、精度高く、移動体の位置、移動速度等を検出できる上記光学式エンコーダを有するから、極めて性能がよい。
【０１０８】
第１〜第７実施形態および変形例で述べた構成要素は、適宜、組み合わせてもよく、また、適宜、選択、置換、あるいは、削除してもよいのは、勿論である。
【符号の説明】
【０１０９】
５  発光素子
７  窓部
１０  移動体
２１，２２，２１１，２１２，２２１，２２２  コンパレータ
３０，１３０  論理回路
５０  検知信号生成部
６１，６２，６３  容量
７１，７２，７３  スイッチ
８０  スイッチ制御回路
Ａ  第１の受光素子
Ｂ  第２の受光素子
Ｃ  第３の受光素子
Ｔｓ  検知トリガ
Ｔｅ  非検知トリガ
【図１】
2015162987.tif 000003
【図２】
2015162987.tif 000004
【図３】
2015162987.tif 000005
【図４】
2015162987.tif 000006
【図５】
2015162987.tif 000007
【図６】
2015162987.tif 000008
【図７】
2015162987.tif 000009
【図８】
2015162987.tif 000010
【図９】
2015162987.tif 000011
【図１０】
2015162987.tif 000012
【図１１】
2015162987.tif 000013
【図１２】
2015162987.tif 000014
【図１３】
2015162987.tif 000015
【国際調査報告】
2015162987.tif 000016
2015162987.tif 000017